(57)【要約】【課題】篩網変更時にも篩効率の低下を抑えることができる振動スクリーンを提供する。【解決手段】スクリーンフレーム９の壁間に設けた複数個の支持ビーム１６と、スクリーンフレーム９の壁間における上部に端部が装設され、鋼線を縦横に配置して方形状の開口を有する篩網１０とを備える振動スクリーンにおいて、前記支持ビーム１６に固定したフランジ２０と、前記篩網１０を構成する鋼線の下面に当接するクッションゴム２１と、先端に前記クッションゴム２１を有し、下端が前記フランジ２０の側面に着脱可能に設けられる支持部材２２と、前記支持部材２２の下端を前記フランジ２０の側面に固定する締結具２３とを有する篩網支持手段１９と、前記支持部材の下端の側面と前記フランジの側面との間に設けられる位置調整部材２４とを備える。【選択図】図５
2012076054.tif 000002
【特許請求の範囲】
【請求項１】
振動可能に支持された枠型のスクリーンフレームと、前記スクリーンフレームの壁間に設けた複数個の支持ビームと、前記スクリーンフレームの側壁における上部に端部が装設され、鋼線を縦横に配置して方形状の開口を有する篩網とを備える振動スクリーンにおいて、
前記支持ビームに固定したフランジと、
前記篩網を構成する鋼線の下面に当接するクッションゴムと、
先端に前記クッションゴムを有し、下端が前記フランジの側面に着脱可能に設けられる支持部材と、前記支持部材の下端を前記フランジの側面に固定する締結具とを有する篩網支持手段と、
前記支持部材の下端の側面と前記フランジの側面との間に設けられる位置調整部材とを備えた
ことを特徴とする振動スクリーン。
【請求項２】
請求項１に記載の振動スクリーンにおいて、
前記支持部材の下端の側面と前記締結具との間に設けられる位置調整部材を更に備えたことを特徴とする振動スクリーン。
【請求項３】
請求項１又は２に記載の振動スクリーンにおいて、
前記支持部材は、前記複数個の支持ビームの上部外周面に当接する凹み部と、前記締結具の挿入孔とを備えたことを特徴とする振動スクリーン。
【発明の詳細な説明】
【技術分野】
【０００１】
本発明は、例えば土砂、砕石、木材チップ等の被選別物を粒の大きさ（粒度）に応じて選別する振動スクリーンに係り、更に詳しくは、篩目の開口寸法が異なる数種の篩網を交換、支持可能な振動スクリーンに関する。
【背景技術】
【０００２】
振動スクリーンにおける篩網としては、例えば、特許文献１に示されているように、一般的に鋼線を選別材料の流れ方向に対して縦横に交差させるように配置したものが使用され、所定のピッチで鋼線を縦横に配置することにより、方形状の開口部を設けて、この開口部の寸法よりも小さな材料だけを、篩網の下部に通過させるようになっている。
【０００３】
この篩網は、その両端を振動スクリーンにおける側板にクランピングバーで支持され、その中間部の下面部は、篩網の下面側に設けた支持部材、及ぶ支持部材の先端に取り付けられたクッションゴムにより支持されている。
【先行技術文献】
【特許文献】
【０００４】
【特許文献１】特開２００７−３０７５０３号公報（図６、図７）
【発明の概要】
【発明が解決しようとする課題】
【０００５】
上述した篩網を備える振動スクリーンにおいては、各々の選別材料を篩い処理することができ、また、篩い効率が高いものが要求されている。この要求を満たすために、篩網（スクリーン）を構成する鋼線のピッチを所定の開口寸法に合わせた篩網に適宜変更する必要がある。
【０００６】
しかしながら、現状の振動スクリーンにおける篩網支持部材、及び篩網支持部材の先端に取り付けられるクッションゴムの配置は固定的であり、任意の位置に変更することができないのが現状である。
【０００７】
このため、篩網を他の開口寸法を有する篩網に変更する場合、篩網を支持するクッションゴムが、篩網を構成する鋼線の真下に配置されず、鋼線と鋼線の間の開口部に配置される場合もある。この場合には、篩網の開口部をクッションゴムが塞ぐこととなり、篩効率が低下するという問題がある。
【０００８】
また、篩網は、篩網支持部材、及び篩網支持部材の先端のクッションゴムの配置を考慮してメーカ側で予め提供しているが、篩網をユーザ側で用意して使用する場合がある。この場合にも、上述したように、篩網を支持するクッションゴムが、篩網を構成する鋼線の真下に配置されず、鋼線と鋼線の間の開口部に配置されて篩効率が低下するという問題がある。
【０００９】
本発明は、上述の事柄に基づいてなされたもので、篩網変更時にも篩効率の低下を抑えることができる振動スクリーンを提供することを目的とする。
【課題を解決するための手段】
【００１０】
上記の目的を達成するために、第１の発明は、振動可能に支持された枠型のスクリーンフレームと、前記スクリーンフレームの壁間に設けた複数個の支持ビームと、前記スクリーンフレームの側壁における上部に端部が装設され、鋼線を縦横に配置して方形状の開口を有する篩網とを備える振動スクリーンにおいて、前記支持ビームに固定したフランジと、前記篩網を構成する鋼線の下面に当接するクッションゴムと、先端に前記クッションゴムを有し、下端が前記フランジの側面に着脱可能に設けられる支持部材と、前記支持部材の下端を前記フランジの側面に固定する締結具とを有する篩網支持手段と、前記支持部材の下端の側面と前記フランジの側面との間に設けられる位置調整部材とを備えたことを特徴とする。
【００１１】
また、第２の発明は、第１の発明において、前記支持部材の下端の側面と前記締結具との間に設けられる位置調整部材を更に備えたことを特徴とする。
【００１２】
更に、第３の発明は、第１又は第２の発明において、前記支持部材は、前記複数個の支持ビームの上部外周面に当接する凹み部と、前記締結具の挿入孔とを備えたことを特徴とする。
【発明の効果】
【００１３】
本発明によれば、開口部の大きさが異なる篩網に変更した場合にも、篩網支持手段の支持位置を可変にすることができるため、篩網支持部材を構成するクッションゴムによって、篩網の開口部が塞がれることがなく、篩効率が向上する。
【図面の簡単な説明】
【００１４】
【図１】本発明の振動スクリーンの一実施の形態を備えた自走式スクリーンの側面図である。
【図２】図１に示す自走式スクリーンに設けた本発明の振動スクリーンの一実施の形態をII−II矢視から見た横断面図である。
【図３】本発明の振動スクリーンの一実施の形態を分解して示す斜視図である。
【図４】図２に示す本発明の振動スクリーンの一実施の形態を構成する篩網支持手段の第１の例を拡大して示す正面図である。
【図５】本発明の振動スクリーンの一実施の形態を構成する篩網支持手段の第２の例を拡大して示す正面図である。
【図６】図５に示す本発明の振動スクリーンの一実施の形態を構成する篩網支持手段の第２の例に用いる位置調整部材の斜視図である。
【図７】本発明の振動スクリーンの一実施の形態を構成する篩網支持手段の第３の例を拡大して示す正面図である。
【図８】本発明の振動スクリーンの一実施の形態を構成する篩網支持手段の第４の例を拡大して示す正面図である。
【図９】本発明の振動スクリーンの一実施の形態を構成する篩網支持手段の第５の例を拡大して示す正面図である。
【図１０】本発明の振動スクリーンの一実施の形態を構成する篩網支持手段の第６の例を拡大して示す正面図である。
【発明を実施するための形態】
【００１５】
以下、本発明の振動スクリーンの実施の形態を図面を用いて説明する。  
図１乃至図４は、本発明の振動スクリーンの一実施の形態を示すもので、図１本発明の振動スクリーンの一実施の形態を備えた自走式スクリーンの側面図、図２は図１に示す自走式スクリーンに設けた本発明の振動スクリーンの一実施の形態をII−II矢視から見た横断面図、図３は本発明の振動スクリーンの一実施の形態を分解して示す斜視図、図４は、図２に示す本発明の振動スクリーンの一実施の形態を構成する篩網支持手段の第１の例を拡大して示す正面図である。
【００１６】
まず、本発明の振動スクリーンの一実施の形態を備えた自走式スクリーンの全体構成を図１を用いて説明する。以下の説明において、図１中の左・右をそれぞれ自走式スクリーンにおける後・前とし、また図１中の紙面の直交方向をそれぞれ自走式スクリーンの右・左とする。
【００１７】
図示した自走式スクリーンは、自力走行をするための走行体１と、この走行体１上に設けられた本体フレーム２と、この本体フレーム２上に搭載された支持架台３と、この支持架台３上に設けられた振動式の振動スクリーン（振動篩）４と、支持架台３の後端部に取り付けられたサイドコンベア５と、振動スクリーン４を通過した粒度の小さい選別物を搬送し排出する排出コンベア６と、本体フレーム２に搭載されたパワーユニット（動力装置）７とを備えている。
【００１８】
走行体１は、左右一対のトラックフレーム１ａと、このトラックフレーム１ａの後端に設けた従動輪１ｂと、トラックフレーム１ａの前端に設けた駆動輪１ｃと、この駆動輪１ｃに直結した駆動装置（走行用油圧モータ）１ｄと、従動輪１ｂ及び駆動輪１ｃに掛け回した無限軌道式の履帯１ｅとで構成されている。
【００１９】
本体フレーム２は、走行体１よりも前方に前端部が張り出すようにトラックフレーム１ａの上部に配設されている。本体フレーム２の後端部は走行体１の後端部に前後位置がほぼ一致している。
【００２０】
支持架台３は、本体フレーム２上に走行体１の後方に張り出すように配設されており、本体フレーム２上に固定されたボトムフレーム３ａと、このボトムフレーム３ａ上に立設された複数のポスト３ｂと、ポスト３ｂ上に略水平に設けたトップフレーム３ｃと、トップフレーム３ｃ上に傾動可能に設けた傾動フレーム３ｄと、ボトムフレーム３ａの後部に設けたリアフレーム３ｅとを備えている。
【００２１】
振動スクリーン４は、投入される被選別物を粒度に応じて選別するもので、支持架台３の傾動フレーム３ｄ上にばね８を介して振動可能に支持された枠型のスクリーンフレーム（枠体）９と、スクリーンフレーム９の内壁に端部が拘束された篩網（スクリーン）１０と、スクリーンフレーム９を加振する加振装置（振動体）１１とを備えており、前後方向中心位置はほぼ走行体１の後端の上方に位置している。
【００２２】
図１ではばね８としてラバースプリングを用いているが、コイルバネ等の他の弾性体でも良い。このばね８は、スクリーンフレーム９の左右両側においてそれぞれ前後に配置され、スクリーンフレーム９は計４つのばね８で支持されている。振動スクリーン４は、駆動装置１１を駆動してスクリーンフレーム９及びその内部の篩網１０を一体的に揺さ振ることによって投入された被選別物のうち、篩網１０の目の大きさよりも小さなものを通過させ、それより粒度の大きなものを選別する。
【００２３】
このとき、振動スクリーン４を支持する傾動フレーム３ｄはピン１２を介して前側部分でトップフレーム３ｃに対して傾動可能に支持されており、後側部分を支える支持部材１３による支持高さを変えることによって傾斜角が変更可能な構成となっている。傾動フレーム３ｄの傾斜角を変えることで振動スクリーン４の傾斜角が変わり、被選別物の性状に応じて振動スクリーン４の選別能力を調整することができるように配慮されている。
【００２４】
また、スクリーンフレーム９の上方には、被選別物の受け入れ性を向上させるホッパ１４が設けられている。ホッパ１４も振動スクリーン４と同じく傾動フレーム３ｄ上に支持されている。さらに、振動スクリーン４の下部には、下方に向かって縮径するシュート１５（図２参照）が排出コンベア６の上面（搬送面）に対向して設けられており、振動スクリーン４の篩網１０を通過した所定粒度以下の選別物がシュート１５を介して下方の排出コンベア６上に導かれる。
【００２５】
パワーユニット７は、本体フレーム２上の前側に搭載されている。パワーユニット７の重心は走行体１よりも前方にあり、他の搭載機器と合わせた全体の重心が走行体１上に来るようにレイアウトされている。また特に図示していないが、パワーユニット７には、自走式スクリーンの駆動源であるエンジンや、このエンジンにより駆動される少なくとも１つの油圧ポンプ、この油圧ポンプから各駆動装置に供給される圧油を制御する複数のコントロールバルブ等が内蔵されている。
【００２６】
排出コンベア６は、振動スクリーン４を通過した篩網１０の目の大きさよりも粒度の小さな選別物を搬送し機体前方に排出する。サイドコンベア５は、振動スクリーン４の篩網１０を通過せず篩網１０の後方から排出された粒度の大きな選別物を機体の側方（本例では左側）に搬送し排出するもので、搬送手段としての基本構成は排出コンベア６と同様である。このサイドコンベア５は、トレーラ等により自走式スクリーンを輸送する際に一般道路の輸送制限幅に収まるように前方に回動させたあと機体側部に沿って起立させた姿勢で収納することができるようになっている。
【００２７】
次に、前述した振動スクリーン４の詳細な構成を、図２乃至図４を用いて説明する。なお、図２乃至図４において、図１に示す符号と同符号のものは同一部分であり、図３中の符号Ｂは、ボルト、ナット等の締結具を示す。  
振動スクリーン４の本体をなすスクリーンフレーム９の短手方向両側（図２の左右両側）の側壁９ａ，９ａは、図３に示すように、上段側の支持ビーム１６及び下段側の支持ビーム１７で連結されている。これらスクリーンフレーム９の内側に掛け渡された両支持ビーム１６，１７とも、例えば断面円状の鋼管材により形成されている。両支持ビーム１６，１７の両端はボルト或いは溶接等の固定手段によってスクリーンフレーム９の側壁９ａの内面に固定されている。上段側の支持ビーム１６は、スクリーンフレーム９の長手方向（本例では前後方向）に間隔を持って複数（この例では４個）配置されている。また、下段側の支持ビーム１７は、スクリーンフレーム９の長手方向（本例では前後方向）に間隔を持って複数（この例では２個）配置されている。これによって、スクリーンフレーム９に作業中の加振に耐え得る十分な剛性が与えられている。
【００２８】
また、スクリーンフレーム９の左右側壁９ａ内における上段側の支持ビーム１６上には、篩網１０が装設されている。篩網１０は、図３に示すように、スクリーンフレーム９の長手方向の鋼線１０ａとスクリーンフレーム９の短手方向の鋼線１０ｂとを交差させて方形状の開口部１０ｃを有しているとともに、その短手方向の両端部（本例では左右両端部）が上方に折り返された折り返し部１０ｄを有している。この折り返し部１０ｄは、篩網拘束部１８によってスクリーンフレーム９の左右両側壁９ａの内壁に拘束され保持されている。
【００２９】
篩網１０の下側と上段側の支持ビーム１６の上側との間には、篩網支持手段１９が装設されている。篩網支持手段１９は、投入された被選別物の篩網中央部への集中を抑制し篩面の短手方向に被選別物を分散させる目的で、篩網１０を上に凸形状となるように支持するものであり、各支持ビーム１６の上面側に間隔を持って溶接Ｗによって固定した複数個（この例では３個）のフランジ２０と、篩網１０を構成する長手方向の鋼線１０ａの下面に当接するクッションゴム２１と、クッションゴム２１を先端に設け、下端がフランジ２０の側面に選択的に着脱可能に設けられる複数個（この例では３個）の支持部材２２と、支持部材２２の下部とフランジ２０の側面とを着脱可能に締結するボルト２３ａとナット２３ｂとからなる締結具２３とを備えている。
【００３０】
フランジ２０は、図３に示すようにスクリーンフレーム９の長手方向の端部に締結具２３挿入孔２０ａを有している。また、支持部材２２は、スクリーンフレーム９の長手方向に沿う板状体２２ａと、この板状体２２ａの下面側に形成され、支持ビーム１６の上面側に当接する円弧状の切り欠き部２２ｂと、前述したフランジ２０における締結具２３挿入孔２０ａに一致する締結具２３の挿入孔２２ｃとを有している。
【００３１】
クッションゴム２１の上端には、篩網１０を構成する長手方向の鋼線１０ａの下面に当接する平面部２１ａを備えている。このクッションゴム２１の平面部２１ａのスクリーンフレーム９の短手方向の寸法は、篩網１０の開口部１０ｃを塞がない程度の寸法に設定しているが、篩網支持手段１９の支持ビーム１６への設置位置と、篩網１０の装着時における鋼線１０ａのピッチとの取り合いにより、篩網支持手段１９におけるクッションゴム２１の平面部２１ａが、篩網１０を構成する長手方向の鋼線１０ａの下面に当接しない場合がある。このように、篩網支持手段１９におけるクッションゴム２１の平面部２１ａが、篩網１０を構成する長手方向の鋼線１０ａの下面に当接しないと、篩網１０の開口部１０ｃを塞ぐことになり、篩効率を低下させる。
【００３２】
この不具合を改善するために、上記の構成により、支持部材２２はフランジ２０の一方側又は他方側の側面に選択的に取り付け可能として、篩網支持手段１９におけるクッションゴム２１の平面部２１ａの位置を変更可能としている。
【００３３】
次に、本発明の振動スクリーンの一実施の形態を備えた自走式スクリーンの動作及び作用効果を説明する。  
例えば、図示しないホイールローダや油圧ショベル等の投入重機或いはコンベア等によって被選別物が投入されると、被選別物はホッパ１４にガイドされて振動スクリーン４の篩網１０上に落下して篩い分けられる。この篩い選別の結果、振動する振動スクリーン４を通過した所定粒度以下の選別物がシュート１５を介して排出コンベア６上に導かれ、この排出コンベア６によって前方に搬送され機体前方に排出される。一方、篩網１０を通過せず篩網１０上に残留する所定粒度以上の選別物は、篩網１０上を振動に伴って篩網１０の下り傾斜方向（本実施の形態では後方）に移動してサイドコンベア５上に落下し、サイドコンベア５によって搬送され機体側方（本実施の形態では左側）に排出される。
【００３４】
上述した被選別物の篩選別処理において、例えば、予め装設した篩網１０で篩処理できる粒度よりも大きい粒度の選別物を篩処理したい場合がある。この場合、篩網１０を開口部の大きいものに交換するが、その際、図４の２点鎖線で示すように、篩網支持手段１９におけるクッションゴム２１の平面部２１ａが、篩網１０を構成する長手方向の鋼線１０ａの下面に当接しないことがある。
【００３５】
そこで、篩網支持手段１９における支持部材２２を、図４の実線で示すように、支持ビーム１６の上面側に固定したフランジ２０の他方側の側面（図４の左側の側面）に配置変更することにより、篩網支持手段１９におけるクッションゴム２１の平面部２１ａを、篩網１０を構成する長手方向の鋼線１０ａの下面に当接させることができ、篩網１０における開口部１０ｂが、クッションゴム２１によって塞がれてしまうということを防ぐことができ、篩効率を改善することができる。
【００３６】
以上、述べたように、本発明の一実施の形態によれば、開口部１０ｂが異なる篩網１０に変更した場合、また、ユーザ側で用意した篩網１０に変更した場合にも、篩網支持手段１９の支持位置を可変にすることができるため、篩網支持手段１９のクッションゴム２１の平面部２１ａによって、篩網１０の開口部１０ｃが塞がれることを防止することができる。その結果、篩効率が向上する。
【００３７】
図５及び図６は、本発明の振動スクリーンの一実施の形態を構成する篩網支持手段の第２の例を示すもので、図５は本発明の振動スクリーンの一実施の形態を構成する篩網支持手段の第２の例を拡大して示す正面図、図６は本発明の振動スクリーンの一実施の形態を構成する篩網支持手段に用いられる位置調整部材（スペーサ）の斜視図である。これらの図において、図４に示す符号と同符号のものは同一部分であるので、その詳細な説明は省略する。
【００３８】
この実施の形態は、支持ビーム１６の上面に固定したフランジ２０の右側面と篩網支持手段１９における支持部材２２の下部左側面との間に、位置調整部材（スペーサ）２４を装着して、篩網支持手段１９のフランジ２０への取付位置を変更して、篩網支持手段１９のクッションゴム２１の平面部２１ａが、篩網１０を構成する長手方向の鋼線１０ａの下面に当接するようにしたものである。
【００３９】
上述した位置調整部材２４は、図６に示すように、板状の部材本体２４ａと、部材本体２４ａの下面に設けられ、支持ビーム１６の上外周面に当接する円弧状の切り欠き部２４ｂと、部材本体２４ａの長手方向の両側部に下側から設けられ、締結具２３に挿入される溝２４ｃとを備えている。
【００４０】
この実施の形態によれば、前述した実施の形態と同様に、篩網支持手段１９におけるクッションゴム２１の平面部２１ａが、篩網１０を構成する長手方向の鋼線１０ａの下面に当接せず、位置ずれを生じた場合、支持ビーム１６の上面に固定したフランジ２０の右側面と篩網支持手段１９における支持部材２２の下部左側面との間に、位置調整部材（スペーサ）２４を装着して、篩網支持手段１９のフランジ２０への取付位置を変更して、篩網支持手段１９のクッションゴム２１の平面部２１ａを、篩網１０を構成する長手方向の鋼線１０ａの下面に当接させることができる。
【００４１】
その結果、篩網支持手段１９のクッションゴム２１の平面部２１ａによって、篩網１０の開口部１０ｃが塞がれることを防止することができ、篩効率が向上する。
【００４２】
図７は、本発明の振動スクリーンの一実施の形態を構成する篩網支持手段の第３の例を拡大して示す正面図である。この図において、図４乃至図６に示す符号と同符号のものは同一部分であるので、その詳細な説明は省略する。
【００４３】
この実施の形態は、支持ビーム１６の上面に固定したフランジ２０の左側面と篩網支持手段１９における支持部材２２の下部右側面との間に、位置調整部材（スペーサ）２４を装着して、篩網支持手段１９のフランジ２０への取付位置を変更して、篩網支持手段１９のクッションゴム２１の平面部２１ａが、篩網１０を構成する長手方向の鋼線１０ａの下面に当接するようにしたものである。
【００４４】
この実施の形態においても、前述した実施の形態と同様な効果を得ることができる。
【００４５】
図８は、本発明の振動スクリーンの一実施の形態を構成する篩網支持手段の第４の例を拡大して示す正面図である。この図において、図４乃至図６に示す符号と同符号のものは同一部分であるので、その詳細な説明は省略する。
【００４６】
この実施の形態は、篩網１０を構成する長手方向の鋼線１０ａの短手方向（図８の左右方向）のピッチが、図４に示す篩網１０のものより小さい、所謂、開口部が小さい篩網１０を使用した場合のものであるが、篩網支持手段１９におけるクッションゴム２１の平面部２１ａが、篩網１０を構成する長手方向の鋼線１０ａの下面に当接しない場合、前述した図４に示す篩網支持手段の第１の例と同様に、篩網支持手段１９における支持部材２２を、支持ビーム１６の上面側に固定したフランジ２０の他方側の側面（この例では、図８の右側の側面）に配置変更することにより、篩網支持手段１９におけるクッションゴム２１の平面部２１ａを、篩網１０を構成する長手方向の鋼線１０ａの下面に当接させることができ、篩網１０における開口部１０ｃが、クッションゴム２１によって塞がれてしまうということを防ぐことができ、篩効率を改善することができる。
【００４７】
図９は、本発明の振動スクリーンの一実施の形態を構成する篩網支持手段の第５の例を拡大して示す正面図である。この図において、図４乃至図８に示す符号と同符号のものは同一部分であるので、その詳細な説明は省略する。
【００４８】
この実施の形態は、図８に示す本発明の振動スクリーンの一実施の形態を構成する篩網支持手段の第５の例において、支持部材２２の一方側の側面（図９の右側面）と締結具２３のナット２３ｂとの間に、位置調整部材（スペーサ）２４を設けたものである。
【００４９】
この実施の形態によれば、図８に示す実施の形態と同様な効果を得ることができる。また、位置調整部材（スペーサ）２４を締結具２３に常に取り付けているため、支持部材２２をフランジ２０に隣接する位置に配置する場合でも、締結具２３におけるボルト２３ａを図８のように短いものを用いることなく、図５や図７の実施の形態同様、長いボルト２３ａを用いることができる。そのため、図８の実施の形態と比較して、長さの異なるボルト２３ａに変更する必要が無く、位置調整作業も良好になる。
【００５０】
図１０は、本発明の振動スクリーンの一実施の形態を構成する篩網支持手段の第６の例を拡大して示す正面図である。この図において、図４乃至図９に示す符号と同符号のものは同一部分であるので、その詳細な説明は省略する。
【００５１】
この実施の形態は、開口部１０ｃが小さい篩網１０を使用する場合において、篩網支持手段１９におけるクッションゴム２１の平面部２１ａの短手方向（図９の左右方向）の寸法が、汎用的に使用する図４に示す開口部１０ｃに対応して設定されているため、クッションゴム２１の平面部２１ａが、図８に示すように、篩網１０を構成する長手方向の鋼線１０ａにおける左右の２つの開口部１０ｃを部分的に塞いでしまうことを改善したものである。
【００５２】
具体的には、支持ビーム１６の上面に固定したフランジ２０の左側面と篩網支持手段１９における支持部材２２の下部右側面との間に、位置調整部材（スペーサ）２４を装着して、篩網支持手段１９のフランジ２０への取付位置を変更して、篩網支持手段１９のクッションゴム２１の平面部２１ａの右側部を、篩網１０を構成する長手方向の鋼線１０ａの下面に当接させ、クッションゴム２１の平面部２１ａは、１つの開口部１０ｃを塞ぐようにしたものである。
【００５３】
この実施の形態によれば、図８示す例と同様に、篩網支持手段１９におけるクッションゴム２１の平面部２１ａを、篩網１０を構成する長手方向の鋼線１０ａの下面に当接させることができるとともに、篩網１０における１つの開口部１０ｃのみを塞ぐので、図９示す例に比べて篩効率を更に改善することができる。
【００５４】
なお、上述した実施の形態において、位置調整部材２４を用いる場合、位置調整部材２４の板厚の寸法は、大小さまざまな寸法の種類のものを準備することによって、いかなる開口寸法の篩網１０に対しても、適切に篩網支持部材１９のクッションゴム２１の配置を変更することが可能となるが、一般的に、土木工事などで使用されることが多い篩網１０の開口寸法は４０mm程度であるので、この開口寸法４０mmを基本として、６０mm程度までの開口寸法を想定した場合には、位置調整部材２４の板厚寸法としては２０mm程度のものを準備すれば、どのような開口寸法の篩網に対しても、概ね篩網１０の開口部１０ｃを塞ぐことなく篩網１０を支持することが可能となる。
【００５５】
なお、上述の実施の形態において、フランジ２０の下面側は支持ビーム１６に溶接Ｗによって固定させるので、篩網支持手段１９における支持部材２２、及び位置調整部材２４の下側角部に、溶接Ｗ部との当たりを避けるための面取り部を設けることが望ましい。
【００５６】
また、上述の実施の形態は、上段側の支持ビーム１６上に篩網１０を設けた場合について説明したが、下段側の支持ビーム１７上に篩網１０を設けた場合にも、本発明を適用することができる。
【符号の説明】
【００５７】
１      走行体
２      本体フレーム
３      支持架台
４      振動スクリーン（振動篩）
５      サイドコンベア
６      排出コンベア
７      パワーユニット（動力装置）
９      スクリーンフレーム
１０    篩網
１６    支持ビーム
１９    篩網支持手段
２０    フランジ
２１    クッションゴム
２２    支持部材
２３    締結具
【図１】
2012076054.tif 000003
【図２】
2012076054.tif 000004
【図３】
2012076054.tif 000005
【図４】
2012076054.tif 000006
【図５】
2012076054.tif 000007
【図６】
2012076054.tif 000008
【図７】
2012076054.tif 000009
【図８】
2012076054.tif 000010
【図９】
2012076054.tif 000011
【図１０】
2012076054.tif 000012